(57)【要約】  本発明は相互接続装置に関する。該相互接続装置は、ワイドエリアネットワークインタフェース（１０）と、ローカルエリアネットワークインタフェース（２０）とを有する。ワイドエリアネットワークインタフェース（１０）は、セルラネットワークタイプの複数のワイドエリアネットワークの基地局との接続を確立する。ローカルエリアネットワークインタフェース（２０）は、ローカル装置とワイドエリアネットワークインタフェース（１０）との間の通信を可能とする。本発明は、接続可能などんな装置のユニバーサル接続にも適している。【選択図】図１
2017512040.tif 000002
【特許請求の範囲】
【請求項１】
セルラネットワークタイプの複数のワイドエリアネットワークの基地局との間の接続を確立するワイドエリアネットワークインタフェース（１０）と、
ローカルデバイスと前記ワイドエリアネットワークインタフェースとの間で通信するローカルエリアネットワークインタフェース（２０）と、
を含む相互接続装置。
【請求項２】
前記ローカルエリアネットワークインタフェースは、複数のローカルデバイスの間で、前記ワイドエリアネットワークインタフェースから受信した信号を共有する、
請求項１記載の相互接続装置。
【請求項３】
前記ワイドエリアネットワークインタフェースは、
５００MHｚから３０００MHzの間の送信周波数を持つ複数のワイドエリアネットワークと関係する複数の基地局からの複数の通信信号を継続して受信するブロードバンド受信機（１１）と、
前記受信された複数の通信信号からより電力の高い信号を選択し、選択した信号を送出する選択装置（１２）と、
を含む、請求項１又は２に記載の相互接続装置。
【請求項４】
前記選択装置は、前記受信された複数の通信信号からより電力の高い新たな信号を継続して選択し、選択した信号を送出する、
請求項３記載の相互接続装置。
【請求項５】
前記ワイドエリアネットワークインタフェースは、前記ブロードバンド受信機から受け取った前記複数の通信信号を増幅し、複数の増幅信号を前記選択装置へ送出する増幅器（１３）を含む、
請求項３又は４に記載の相互接続装置。
【請求項６】
前記増幅器は、前記ブロードバンド受信機から受け取った複数の通信信号の少なくとも１つが最大値よりも高い電力を有している場合、前記受け取った複数の通信信号を減衰して、複数の減衰信号を前記選択装置へ送出する、
請求項５記載の相互接続装置。
【請求項７】
前記ブロードバンド受信機は、
例えばＳＩＭカードである取り外し可能なメモリ内に記憶され且つワイドエリアネットワークに対する署名に対応する接続データを読み出し、
前記読み出した接続データをアクセス可能なすべての基地局へ、該基地局との接続を確立するために送信し、
前記ブロードバンド受信機が接続されている各基地局からの信号を受信する、
請求項３から６のいずれか１項に記載の相互接続装置。
【請求項８】
前記ワイドエリアネットワークインタフェースから受け取った信号を保持し、前記保持した信号を前記ローカルエリアネットワークインタフェースへ送出するバッファメモリ（３０）をさらに含む、
請求項１から７のいずれか１項に記載の相互接続装置。
【請求項９】
前記バッファメモリは、前記ワイドエリアネットワークインタフェースから受け取った信号を保持し、前記保持した信号を所定時間だけ遅延させて前記ローカルエリアネットワークインタフェースへ送出する、
請求項８記載の相互接続装置。
【請求項１０】
オーディオ／ビデオインタフェース（４０）をさらに含み、
前記オーディオ／ビデオインタフェースは、
ビデオフォーマットにおける有線接続を介して、端末のようなローカル装置の接続を可能とするビデオ出力端子（４１）と、
前記ワイドエリアネットワークインタフェースから受け取った信号を、ビデオフォーマットの信号へ変換し、変換後の信号を前記ビデオ出力端子へ送出するオーディオ／ビデオデコーダ（４３）と、
を含む、
請求項１から９のいずれか１項に記載の相互接続装置。
【請求項１１】
前記オーディオ／ビデオデコーダは、前記受け取った信号の全部又は一部がオーディオ信号である場合、前記受け取った信号のオーディオ部分を、オーディオフォーマットの信号に変換し、変換後の信号をオーディオ／ビデオインタフェースの無線周波数送信機（４５）へ送出する、
請求項１０記載の相互接続装置。
【請求項１２】
指示送信装置を介してユーザ指示群を受け取り、受け取ったユーザ指示に従って、前記ワイドエリアネットワークインタフェース、前記ローカルエリアネットワークインタフェース、前記バッファメモリ、及び／又は、前記オーディオ／ビデオインタフェースを制御する制御装置（５０）をさらに含む、
請求項１から１１のいずれか１項に記載の相互接続装置。
【請求項１３】
前記制御装置は、
複数の前記インタフェース及び／又は前記メモリを制御するための一連の指示群、ユーザ指示に対応する一連の制御指示群を保持する指示メモリ（５１）と、
受信されたユーザ指示に従って、一連の制御指示群を実行するマイクロプロセッサ（５２）と、
を含む、
請求項１から１２のいずれか１項に記載の相互接続装置。
【請求項１４】
前記指示送信装置は、
キーボード（６１）及び／又はマウス（６２）、及び／又は、タッチスクリーン、及び／又は、パーソナルコンピュータ（６３）、タッチタブレット、スマートフォン（６４）、電話等、及び／又は、車載コンピュータを含み、
前記キーボード及び／又はマウスは、例えばブルートゥースリンクによって前記制御装置に接続され、
前記タッチスクリーンは、前記オーディオ／ビデオインタフェースを介して前記制御装置に接続され、
前記、パーソナルコンピュータ、タッチタブレット、スマートフォン、電話等は、前記ローカルエリアネットワークインタフェースを介して前記制御装置に接続され、
前記車載コンピュータは、前記車載コンピュータと前記相互接続装置の前記オーディオ／ビデオインタフェースとの間の有線接続を介して、前記相互接続装置の前記制御装置に接続される、
請求項１２又は１３に記載の相互接続装置。
【請求項１５】
前記ローカルエリアネットワークは、例えばＷｉ−Ｆｉタイプの無線ネットワークである、
請求項１から１４のいずれか１項に記載の相互接続装置。
【発明の詳細な説明】
【技術分野】
【０００１】
本発明は、パーソナルコンピュータ（ＰＣ）、タッチタブレット、スマートフォン、電話、ディスプレイスクリーン、ビデオプロジェクタ等のような端末の移動通信ネットワーク（ワイドエリアネットワーク）に対する接続のための、外付けで、自立した、移動可能な相互接続装置に関する。
【背景技術】
【０００２】
移動可能な相互接続装置（Mobile interconnection devices）（例えば、３Ｇドングル）が既に知られている。この移動可能な相互接続装置は、ユーザがＰＣ又はタブレットのような端末をモバイルインターネットアクセスのためのセルラネットワークへ接続させることを可能とする。そのような装置は、１つの端末の接続だけを可能とする。さらに、そのような装置は、１つのセルラネットワークへの接続だけを可能とする。このため、そのような装置を上記のセルラネットワークによってカバーされていないエリアにおける接続を確立するために用いることができないことは明らかである。このことは、特にセルラネットワークのカバレッジがしばしば１つの弱いネットワークに制限されている地方エリアの、ユーザにとって不都合である。
【０００３】
さらに、そのような装置群は、データレートが極めて低く、その装置群が接続しているワイドエリアネットワークにおいて局所的に（つまり、その装置群の近くにおいて）利用可能なレートが制限されており、これにより、極めて不満足なサービスしか提供することができない。
【０００４】
また、これらの装置群は、内部に無線送信／受信手段を持たない複数の表示装置を単に接続するために用いることはできない。
【発明の概要】
【０００５】
本発明は、既知の相互接続装置の欠陥の一部又は全部を修正できる、新規の相互接続装置を提供する。
【０００６】
さらに詳細には、本発明は、セルラネットワークタイプの複数のワイドエリアネットワークの基地局との接続を確立するためのワイドエリアネットワークインタフェース、及び、ローカル装置とワイドエリアネットワークインタフェースとの間の通信のためのローカルエリアネットワークインタフェースを含む、相互接続装置に関する。
【０００７】
複数のワイドエリアネットワークの基地局と接続を確立するためのワイドエリアネットワークインタフェースを持っているので、本発明の上記装置を、最大カバレッジ及びこれによる地理的にできるだけ広範なサービスを持つために用いることが可能である。
【０００８】
上記のローカルエリアネットワークは、好ましくは、例えばＷｉ−Ｆｉタイプの無線ネットワークである。
【０００９】
好ましくは、上記ローカルエリアネットワークインタフェースは、ワイドエリアネットワークインタフェースから受信した信号を複数のローカル装置の間で共有するために設計されている。これにより、例えばＰＣ、タブレット、電話等のローカル装置をワイドエリアネットワークへ同時に接続することが可能となる。
【００１０】
本発明の上記相互接続装置において、上記ワイドエリアネットワークインタフェースは、ブロードバンド受信機及び選択装置を含んでいてもよい。上記ブロードバンド受信機は、５００ＭＨｚと３０００ＭＨｚの間の送信周波数を持つ複数のワイドエリアネットワークと関連する複数の基地局からの複数の通信信号を継続して受信するために設計されている。上記選択装置は、複数の受信信号からより電力の高い信号を選択し、選択した信号を送信する。
【００１１】
ブロードバンド受信機は、本発明の上記装置がすべての上記ワイドエリアネットワーク群からのすべての信号を受信することを可能とする。そして、上記選択装置は、最も電力の高い信号を提供する、上記ネットワークを、より詳細には上記ネットワークの基地局を選択する。このことは、地理的エリアが少なくとも１つのワイドエリアネットワークによってカバーされている場合、ある瞬間のある地理的位置における本発明の上記装置の最高の受信を保証する。
【００１２】
好ましくは、上記選択装置は、また、複数の受信信号からより電力の高い新たな信号を継続して選択するために設計されている。換言すれば、上記選択装置は、送信中の信号よりも電力の高い信号を検出すると直ぐに、基地局を変更する。これにより、選択装置は、ユーザにとって最適なサービスを保証するために、最も電力の高い信号を選んで継続して送信する。
【００１３】
より好ましくは、上記ワイドエリアネットワークインタフェースは、また、上記ブロードバンド受信機から受け取った複数の信号を増幅し、複数の増幅信号を上記選択装置へ送出する、増幅器を含む。これにより、上記選択装置は、上記受信機で受信されたすべての信号が比較的低い電力であるときでも、より電力の高い信号を容易に選ぶことができる。さらに、上記選択された増幅信号は、上記ローカルエリアネットワークインタフェース又はオーディオ／ビデオインタフェースを介してその増幅信号を受け取る上記ローカル装置にとって、より高い品質（より高いレート、無中断のレート等）な信号である。これにより、上記の同じ情報を、同じサービス品質で複数のローカル装置へ同時に送信することが可能となる。このように試験は、同じビデオデータストリームを、高画質及び高音質でテレビタイプ表示端末及びスマートフォン表示装置に同時に表示することが可能であることを示している。また、上記ローカルエリアネットワークの範囲は、より品質の高い上記信号に起因して、より広い。例えば、試験は、互いに上記相互接続ユニットから４００ｍ以上離れた、スマートフォンからのプリンタにおけるプリント、及び、上記ローカルエリアネットワークインタフェースを介した互いの通信が可能であることを示している。
【００１４】
１つの変形例によれば、上記増幅器は、また、上記複数の受信信号の少なくとも１つが最大値よりも高い電力を有している場合、上記ブロードバンド受信機から受け取った複数の信号を減衰して、複数の減衰信号を上記選択装置へ送信するように設計されている。換言すれば、上記増幅器は、また、上記ブロードバンド受信機がその電力が最大値よりも高い少なくとも１つの信号を受信した場合、例えば、本発明の上記相互接続装置がワイドエリアネットワークの基地局の直ぐ近くに位置している場合、減衰器として機能してもよい。このように、上記ローカルエリアネットワークインタフェースで減衰信号を再送することにより、直ぐ近くの上記ワイドエリアネットワーク群は乱されない。
【００１５】
上記ワイドエリアネットワークインタフェースにおいて、上記ブロードバンド受信機は、好ましくは、取り外し可能なメモリ（例えば、ＳＩＭ）内の、ワイドエリアネットワークに対する署名（subscription）に対応する接続データを読み取り、基地局との間の接続を確立するために、上記読み取った接続データを、ある瞬間のある場所でアクセス可能なすべての基地局へ送信し、上記受信機が接続した各基地局から信号を受信するために設計されている。
【００１６】
１つのワイドエリアネットワークに対する署名は、上記ブロードバンド受信機が、他のオペレータに属する他のワイドエリアネットワーク群の基地局を含む上記モバイルネットワークにおけるすべての上記基地局から送信されたすべての上記データ信号を受信するのに十分である。また、信号群は、同じネットワークにおける複数の基地局から受信されてもよい。また、５００ＭＨｚと３０００ＭＨｚの間の受信は、ＧＳＭ、３Ｇ、３Ｇ＋、４Ｇ等の如何なるタイプのセルラネットワークからの信号も受信可能とすることができる。
【００１７】
また、本発明の上記装置は、上記ワイドエリアネットワークインタフェースから受け取った信号を保持し、該信号を上記ローカルエリアネットワークインタフェースへ送出するための、バッファメモリを含んでいてもよい。このように、上記データは、上記ワイドエリアネットワークインタフェースによって一時的に保持され、そして上記接続されたローカル装置群に従って着実に上記ローカルエリアネットワークインタフェースへ送出される。上記受信信号は、第１のレートで保持されて、第１のレートと異なる第２のレートで送出されてもよい。このことは、上記ローカル装置からの要求に従った、上記ローカルエリアネットワークにおいて送信される信号のバッファマネージングを可能とする。
【００１８】
上記バッファメモリは、好ましくは、上記受信信号を保持して、所定時間だけシフトされた信号を上記ローカルエリアネットワークインタフェースへ送信するために設計されている。このことは、上記相互接続装置が、例えば上記ワイドエリアネットワークインタフェースによるデータ受信の合間に又は基地局の自動的な切り替え（automatic changeover）の間に、データを、上記ローカルエリアネットワークインタフェースを介して上記ローカル装置群へ継続して与えることを可能とする。
【００１９】
さらに、本発明の上記装置は、ビデオ出力端子及びオーディオ／ビデオデコーダを含むオーディオ／ビデオインタフェースを含んでいてもよい。上記ビデオ出力端子は、ビデオフォーマットにおける有線接続を介して、端末のようなローカル装置の接続を可能とする。上記オーディオ／ビデオデコーダは、上記ワイドエリアネットワークインタフェースから受け取った信号を、ビデオフォーマットの信号へ変換し、変換後の信号を上記ビデオ出力端子に送出するために設計されている。
【００２０】
このように本発明の上記装置は、ワイドエリアネットワークへの簡単な有線接続で、表示端末（例えばスクリーン、ビデオプロジェクタ）を提供する。当然のことながら、ビデオ出力端子にアクセス可能な信号のビデオフォーマットは、接続される可能性のある上記表示装置に適している。例えば、ＨＤＭＩ、ＨＤＴＶ等のフォーマットが、スクリーン、ビデオプロジェクタ、テレビ等の接続のために選ばれる。
【００２１】
好ましくは、上記オーディオ／ビデオデコーダは、また、フィルタ処理された信号の全部又は一部がオーディオ信号である場合、上記フィルタ処理された信号のオーディオ部分を、オーディオフォーマットの信号に変換し、変換後の信号を上記オーディオ／ビデオ装置の無線周波数送信機へ送信するために設計されている。このように、上記ワイドエリアネットワークから受け取ったオーディオ信号を再生するために、スピーカ群を無線周波数によって接続することが可能となる。
【００２２】
さらに、本発明の上記装置は、ユーザの指示を指示送信装置を介して受信し、受信したユーザ指示に従って、上記ワイドエリアネットワークインタフェースと上記ローカルエリアネットワークインタフェースともし適用可能であれば上記バッファメモリ及び／又は上記オーディオ／ビデオインタフェースとを制御するために設計された制御装置を含んでいてもよい。
【００２３】
このように、上記制御装置は、受信したユーザ指示から、本発明の上記相互接続装置のすべての要素の働きを制御する。
【００２４】
１つの態様によれば、上記制御装置は、指示メモリ及びマイクロプロセッサを含む。上記指示メモリは、上記複数のインタフェース及び／又は上記メモリを制御するための一連の指示群、ユーザ指示に対応する一連の制御指示群を保持するためのものである。上記マイクロプロセッサは、受け取ったユーザ指示に応じた一連の制御指示群を実行するためのものである。
【００２５】
上記指示送信装置は、例えば、キーボード及び／又はマウス、及び／又は、タッチスクリーン、及び／又は、パーソナルコンピュータ、タッチタブレット、スマートフォン、電話等、及び／又は、車載コンピュータを含んでいる。上記キーボード及び／又はマウスは、例えばブルートゥースリンクによって上記制御装置へ接続される。上記タッチスクリーンは、上記オーディオ／ビデオインタフェースを介して上記制御装置と接続される。上記パーソナルコンピュータ、タッチタブレット、スマートフォン、電話等は、上記ローカルエリアネットワークインタフェースを介して上記制御装置へ接続される。上記車載コンピュータは、例えば上記車載コンピュータと本発明の上記相互接続装置の上記オーディオ／ビデオインタフェースとの間の有線接続を介して、上記相互接続装置の上記制御装置へ接続される。
【００２６】
より一般的には、上記指示送信装置は、ブルートゥースリンクを介して、上記ローカルエリアネットワークインタフェースを介して、又は、上記オーディオ／ビデオインタフェースを介して、上記制御装置に接続可能で、且つ、少なくとも１つの制御指示を生成するために設計された、如何なる物であってもよい。
【００２７】
上記相互接続装置は、その普遍的側面のために特に有用である。その相互接続装置は、次の高速接続のためにデザインされている。まず、Ｗｉ−Ｆｉを介した電話、スマートフォン、タブレット等のいかなるタイプの通信機器の高速接続である。また、ブルートゥースシンクを介したキーボード、マウス等のいかなるタイプのコントロールアクセサリの高速接続である。また、ビデオフォーマットのリンクを介した表示端末、テレビ等、無線リンクを介したサウンドブロードキャストスピーカシステム等、プリンタ等のいかなるタイプのブロードキャストマルチメディア情報のためのアクセサリの高速接続である。
【００２８】
本発明の上記相互接続装置は、種々の接続された機器のために次のことを可能とする。まず、セルラワイドエリアネットワークとのデータ交換、例えば、電話、スマートフォン、タブレット、ＰＣ等のためのセルラネットワークを介したインターネットアクセスである。また、電話、スマートフォン等のためのセルラネットワークを介した第三者との電話通信である。また、上記相互接続装置を介して相互接続された２つの装置間でのデータ又は指示群の交換、例えば、上記制御装置のメモリ、上記相互接続装置に接続された電話、スマートフォン、ＰＣ等のメモリ、上記相互接続装置に接続された外付けの記憶装置（例えば、ＮＡＳ、Network Attached Storage unit）等に保持されているデータに基づく、表示端末での画像表示、又は、上記相互接続に接続された複数のスピーカでのオーディオブロードキャスティングである。
【００２９】
また、本発明の上記相互接続装置は、例えばネットワークカバレッジが不確かであるエリアにおいて電話ネットワークからの信号を受信する能力で特に有用である。
【００３０】
また、本発明の上記相互接続装置は、例えば上記相互接続装置が移動するとき、上記相互接続装置が移動中の車の中で使用されているときに、上記ローカルエリアネットワークにおいて接続状態に留まってゆっくりと安定した信号を供給する能力で特に有用である。
【００３１】
また、本発明の上記装置は、次のシステムの操業をリモートコントロールするために、道路通信システムの、産業設備の操業を管理するためのシステムの、ビル暖房設備等を管理するためのシステムの、上記ワイドエリアネットワークへの簡単な接続を可能とすることもできる。
【００３２】
本発明の上記装置は、少なくとも１つの警告指示を生成するように設計された接続可能装置による上記相互接続装置の上記制御装置への高速接続を可能とすることもできる。その接続可能装置は、例えば、次のようなものである。着用者の生理パラメータ（例えば脈拍）が期待された範囲から外れた場合に警告信号を生成するように設計された時計である。また、着用者の転倒が検出された場合に警告信号を生成するように設計された転倒検出ユニットである。また、屋内電気機器のパラメータ（例えば、コールドルームの内部温度）が許容最大値よりも高くなった場合に警告指示を生成するように設計された屋内電気機器を制御するための装置である。また、車においてショック又は重大な障害が検出された場合に警告信号を生成するように設計された車載コンピュータである。
【００３３】
これら最後の例示において、本発明の上記装置では、上記制御装置は、適切な一連の指示群を上記指示メモリに保持して、上記制御装置が警告信号を受信したときに、監視ステーション、第三者のスマートフォン、第三者のメッセージサーバ等のような遠隔装置への送信のために、上記制御装置が警告信号を上記ワイドエリアネットワークインタフェースへ又は上記ローカルエリアネットワークインタフェースへ送信するようにする。
【図面の簡単な説明】
【００３４】
本発明がより良く理解されるであろう。また、本発明の他の特徴及び効果は、本発明の相互接続装置の例示的な実施形態の以下の記述を参照することにより明らかになるであろう。これらの例示は、非制限的に与えられている。その記述は、図１が相互接続装置の機能図である添付の図面と共に読まれるべきである。
【発明を実施するための形態】
【００３５】
上記の通り、本発明は、相互接続装置に関し、この相互接続装置は、ワイドエリアネットワークインタフェース１０と、ローカルエリアネットワークインタフェース２０とを含んでいる。ワイドエリアネットワークインタフェース１０は、セルラネットワークタイプの複数のワイドエリアネットワークにおける基地局との接続を確立するために設計されている。ローカルエリアネットワークインタフェース２０は、ローカル装置とワイドエリアネットワークインタフェース１０との間で通信するように設計されている。
【００３６】
代表される例では、上記ワイドエリアネットワークは、セルラネットワーク、モバイルインターネットへのアクセスを許容する移動電話ネットワークである。ローカルエリアネットワークは、Ｗｉ−Ｆｉネットワークである。Ｗｉ−Ｆｉネットワークには、電話、スマートフォン、プリンタ等の複数のローカル装置が既知の方法で接続されていてもよい。ローカルエリアネットワークインタフェース２０は、ワイドエリアネットワークインタフェース１０から受け取った信号をすべてのローカル装置の間で共有するように設計されている。また、ローカルエリアネットワークインタフェース２０は、ローカル装置群がデータ及び／又は指示群を交換すること、又は、ワイドエリアネットワーク上でアクセス可能な遠隔装置との間でデータ及び／又は指示群を交換することを可能とするように設計されている。
【００３７】
ワイドエリアネットワークインタフェース１０は、ブロードバンド受信機１１を含み、このブロードバンド受信機１１は、複数のワイドエリアネットワークに関連する複数の基地局からの複数の通信信号を継続して受信するように設計されている。ブロードバンド受信機１１は、５００ＭＨｚから３０００ＭＨｚの間の送信周波数を持つすべての信号を受信する。
【００３８】
ワイドエリアネットワークインタフェース１０には、ワイドエリアネットワークへの署名に対応する接続データを記憶する、ＳＩＭデータカードタイプのメモリカードを配置するための領域が設けられている。ブロードバンド受信機１１は、上記メモリカード内の接続データを読み出し、読みだした接続データをある瞬間のある場所でアクセス可能なすべての基地局へ該基地局との接続を確立するために送信し、ブロードバンド受信機１１が接続されている各基地局からの信号群を受信するように設計されている。
【００３９】
また、ワイドエリアネットワークインタフェース１０は、選択装置１２を含んでいる。選択装置１２は、複数の受信信号からより電力の高い信号を選択し、選択した信号を送信するように設計されている。また、選択装置１２は、複数の受信信号からより電力の高い新たな信号を継続して選択し、選択した信号を送信するように設計されている。
【００４０】
また、ワイドエリアネットワークインタフェース１０は、ブロードバンド受信機１１から受け取った複数の信号を増幅し、複数の増幅信号を選択装置１２へ送出するように設計された、増幅器１３を含む。増幅器１３は、リバーシブルである。すなわち、増幅器１３は、複数の受信信号の少なくとも１つが最大値よりも高い電力を有している場合、ブロードバンド受信機１１から受け取った複数の信号を減衰して、複数の減衰信号を選択装置１２へ送出するように設計されている。これにより、直ぐ近くのワイドエリアネットワーク群は乱されない。
【００４１】
ブロードバンド受信機１１は、現在位置している場所でアクセス可能なすべてのモバイルデータネットワーク群からの信号群を受信する。そして、選択装置１２は、ある瞬間のある場所において利用可能な最も良いネットワークを選択する。選択装置１２は、ブロードバンド受信機１１から受け取った複数の信号を継続してモニタし、他のネットワークにおいてより高い電力の信号が検出されるとすぐに、ネットワークを切り替える。増幅器１３は、ブロードバンド受信機１１と選択装置１２の間に位置して、信号群のすべてを増幅する。これにより、特にすべての受信信号の電力が極めて弱いときに、選択装置１２の動作を容易にすることができる。さらに、増幅信号によって、上記相互接続装置にローカル接続している複数の上記装置は、最高の信号を受け取ることを保証されている。
【００４２】
また、本発明の上記相互接続装置は、上記ワイドエリアネットワークからのデータを一時的に保持するためのバッファメモリ３０を含んでいる。バッファメモリ３０は、上記ワイドエリアネットワークインタフェース１０から受け取った信号を第１のレートで保持し、保持した信号を上記ローカルエリアネットワークインタフェース２０へ第２のレートで送出する。バッファメモリ３０は、受信信号を、１５秒から６０秒のオーダーの所定の遅延だけ時間軸方向でシフトして上記ローカルエリアネットワークインタフェース２０へ送出する。これにより、上記ワイドエリアネットワークインタフェース１０がより電力の高い信号を検出したために基地局を切り替えている間に、上記ローカルエリアネットワークインタフェース２０は、バッファメモリ３０からのデータを信号の中断無しに受信し続ける。このように信号の如何なる変化も、上記オーディオ／ビデオインタフェース（以下参照）又は上記ローカルエリアネットワークインタフェース２０に接続されている上記複数のローカル装置にとってはトータルでは目に見えない。
【００４３】
また、本発明の相互接続装置は、オーディオ／ビデオインタフェース４０を含んでいる。オーディオ／ビデオインタフェース４０は、ビデオ出力端子４１と、オーディオ／ビデオデコーダ４３とを含んでいる。ビデオ出力端子４１は、ビデオフォーマットにおける有線接続を介して、表示端末のようなローカル装置の接続を可能とする。オーディオ／ビデオデコーダ４３は、上記ワイドエリアネットワークインタフェース１０から受け取った信号を、ビデオフォーマットの信号へ変換し、変換後の信号をビデオ出力端子４１に送出するように設計されている。
【００４４】
代表する例では、オーディオ／ビデオデコーダ４３は、受信信号の全部又は一部がオーディオ信号である場合、上記受信信号のオーディオ部分を、オーディオフォーマットの信号に変換し、変換後の信号をオーディオ／ビデオインタフェース４０の無線周波数送信機４５へ送出するように設計されている。
【００４５】
また、代表する例では、上記表示端末は、テレビ（ＴＶ）４２であり、コンピュータのスクリーン、ビデオプロジェクタ等の他のタイプの表示端末であってもよい。
【００４６】
また、上記相互接続装置は、制御装置５０を含んでいる。制御装置５０は、指示送信装置を介してユーザ指示群を受信し、ワイドエリアネットワークインタフェース１０、ローカルエリアネットワークインタフェース２０、バッファメモリ３０、及び、オーディオ／ビデオインタフェース４０を、受け取ったユーザ指示に従って制御する。
【００４７】
制御装置５０は、指示メモリ５１と、マイクロプロセッサ５２とを含んでいる。指示メモリ５１は、上記インタフェース１０，２０，３０及び上記メモリ３０を制御するための一連の指示群、つまりユーザ指示に対応する一連の制御指示群を保持するためのものである。マイクロプロセッサ５２は、受け取ったユーザ指示に応じた一連の制御指示群を実行するためのものである。
【００４８】
代表する例における上記指示送信装置は、ブルートゥースリンクによって上記制御装置５０に接続された、キーボード６１及びマウス６２を含む。より一般的には、ネットワークインタフェース２０、オーディオ／ビデオインタフェース４０、又はブルートゥースリンクを介して制御装置５０に接続された上記相互接続装置に接続された、すべての端末群（表示端末４２、移動電話、コンピュータ６３、スマートフォン６４等）は、制御装置５０へ指示群を送信してもよい。
【００４９】
上記相互接続装置からなる上記利用によれば、上記指示送信装置は、タッチスクリーンと、パーソナルコンピュータ、タッチタブレット、スマートフォン、電話等と、車載コンピュータとを含んでいてもよい。上記タッチスクリーンは、上記オーディオ／ビデオインタフェース４０を介して上記制御装置５０と接続されている。上記パーソナルコンピュータ、タッチタブレット、スマートフォン、電話等は、上記ローカルエリアネットワークインタフェース２０を介して上記制御装置５０と接続されている。上記車載コンピュータは、例えば上記車載コンピュータと本発明の上記相互接続装置のオーディオ／ビデオインタフェース４０との間の有線接続を介して、上記相互接続装置の制御装置５０と接続されている。
【００５０】
好ましくは、本発明の上記相互接続装置は、上記相互接続装置に含まれているすべての装置に電力を供給する、蓄電池（accumulator）が備えられている。これにより、上記相互接続装置は、完全に自立しており、つまり、電力供給ネットワークに接続される必要がなく、よって、旅行中に使用することもできる。
【００５１】
図１において、太い矢印は、ワイドエリアネットワークインタフェース１０と上記種々のローカル装置との間のダウンストリームデータのルートを示している。細い矢印は、本発明の上記装置の制御装置５０及び種々の要素と、それに接続されている上記ローカル装置群との間の、指示の送信を示している。
【００５２】
相互接続装置のプロトタイプが既に作られている。そのプロトタイプは、すべてが１つのユニットに収められ、おおよそ１２０から２００グラムのスマートフォンのサイズである。このため、コートのポケット又はハンドバッグに入れて簡単に持ち運ぶことができ、又は、車のグローブボックスに入れておくこともできる。
【００５３】
上記プロトタイプは、スマートフォンでの電話又は移動電話ネットワークでの電話をすることができないような人里離れた地理的エリアにおける、テストが成功している。また、３Ｇ信号が存在する場所におけるトライアルは、最適条件にある同じスマートフォンが、本発明の上記相互接続装置を介して接続することによって、ユーザが登録されているオペレータのネットワークに直接接続することによるよりも、最大で１０倍多くの信号を受信することを示している。また、トライアルは、移動中の電車及び自動車においても為されており、信号の中断無しに、また、ビデオストリームをとても良い状態で見ることができる程の流れるような一定のレートで、スマートフォンにおいてとても高品質のデータレートが得られている。
【００５４】
本発明の上記相互接続装置は、ローカルエリアネットワークを構築して該ネットワークへ建物の中又は周りに存在するすべての接続可能な装置（マルチメディア設備（multimedia equipment）、暖房及び／又はエアーコンディショニングシステム、シャッター、屋内電気器具等）を接続するために、つまり、それらを互いに接続しまたそれらをインターネットへ接続するために、建物（自宅、会社等）の中でも用いられることができる。
【００５５】
また、本発明の上記相互接続装置は、ユーザのすべてのマルチメディア設備の完璧なインターネット接続が如何なる時も得られるように、ユーザによって持ち運ばれてもよい。また、上記相互接続装置は、車に備えられてもよい。
【符号の説明】
【００５６】
１０  ワイドエリアネットワークインタフェース
１１  ブロードバンド受信機
１２  信号選択装置
１３  増幅器
１４  ＳＩＭデータ
２０  ローカルエリアネットワークインタフェース（Wi-Fi）
３０  バッファメモリ
４０  オーディオ／ビデオインタフェース
４１  ビデオ出力端子、例えば、ＨＤＭＩ端子
４２  表示端末、例えば、テレビ（ＴＶ）
４３  オーディオ／ビデオデコーダ
４５  オーディオ送信機、例えば、無線周波数
５０  制御装置
５１  指示メモリ
５２  マイクロプロセッサ
６１  キーボード
６２  マウス
６３  ラップトップコンピュータ
６４  電話、スマートフォン
【図１】
2017512040.tif 000003
【国際調査報告】
2017512040.tif 000004
2017512040.tif 000005
2017512040.tif 000006
2017512040.tif 000007
2017512040.tif 000008
2017512040.tif 000009